(57)【特許請求の範囲】
【請求項１】
建築部材に関する部材図面と、前記建築部材を用いた建築物に関する建築図面とを格納する図面格納手段と、
前記建築部材に関する部材情報と、当該建築部材を一意に識別する識別情報とを、前記部材図面から当該建築部材毎に抽出する部材情報抽出手段と、
前記識別情報と、前記建築部材の配置に関する配置情報とを、前記建築図面から当該建築部材毎に抽出する配置情報抽出手段と、
前記識別情報、前記部材情報抽出手段によって抽出された前記部材情報、及び、前記配置情報抽出手段によって抽出された前記配置情報を、相互に関連付けて格納する部材情報格納手段と、
前記建築図面に含まれている前記建築部材に対応する識別情報を当該建築図面から取得し、当該取得した識別情報に対応する前記配置情報を前記部材情報格納手段から取得し、当該取得した識別情報と配置情報とを含む読取情報を、当該識別情報に対応する建築部材に関連付けて、当該建築図面中に配置する読取情報配置手段と、
前記読取情報配置手段によって前記読取情報が配置された建築図面の少なくとも一部を出力する出力手段と、
被写体を撮影する撮影手段と、
前記撮影手段によって撮影された画像を格納する画像格納手段と、
前記読取情報を読み取る読取手段と、
前記読取手段によって読み取られた読取情報に含まれる前記配置情報を表示し、当該読取情報に含まれる前記識別情報に関連付けて前記部材情報格納手段に格納されている前記部材情報を表示する、表示手段と、
前記画像格納手段に格納された前記画像と、前記表示手段によって表示された前記配置情報及び前記識別情報とを、相互に関連付ける関連付け手段と、
を備える部材情報管理システム。
【請求項２】
前記建築図面は、当該建築図面に含まれている前記建築部材を一意に識別する識別情報である符号を有し、
前記読取情報配置手段は、前記建築図面から前記符号を抽出し、当該抽出した符号に対応する前記配置情報を前記部材情報格納手段から取得し、当該取得した配置情報を含む前記読取情報を、当該建築図面中の当該符号の位置に対応付けて配置する、
請求項１に記載の部材情報管理システム。
【請求項３】
前記読取情報配置手段は、前記建築図面における通り芯の配置を基準として当該建築図面における前記符号の位置を特定し、当該特定した符号の位置に対応付けて前記読取情報を配置する、
請求項２に記載の部材情報管理システム。
【請求項４】
前記読取情報配置手段は、前記読取情報を、光学的に読み取り可能な情報コードとして前記建築図面中に配置する、
請求項１から３のいずれか一項に記載の部材情報管理システム。
【発明の詳細な説明】
【技術分野】
【０００１】
本発明は、部材情報管理システムに関する。
【背景技術】
【０００２】
建設工事や土木工事では、設計図面通りに施工されていることを記録するため、工事現場において完成前の建物の各部位を検査する作業が実施されている。例えば、鉄筋コンクリート造や鉄骨鉄筋コンクリート造の建物の躯体工事においては、鉄筋の配置、鋼種、間隔、定着状態、継手等が設計通りとなっているか否かを確認する配筋検査が行われる。
【０００３】
この配筋検査では、作業現場における検査対象部位の位置を特定するための平面図（伏図）、各検査対象部位の配筋図、及び各検査対象部位に対応したチェックリスト等が記載された検査野帳を用いて、検査者が検査対象（例えば梁、スラブ、柱等）を特定し、当該検査対象の検査結果を記録している。このような検査に用いられる検査野帳は、例えば作成者が手作業で配筋図から検査対象部位に対応する箇所を切り出し、平面図における当該検査対象部位に対応する位置に貼り付けることで作成される。さらに、切り出すべき配筋図の選択ミスや選択漏れ、あるいは平面図における各配筋図の貼り付け位置の間違い等を防止し、検査野帳の作成負荷を低減するために、建築部材に関する部材情報を部材図面から当該建築部材毎に自動的に抽出し、建築部材を一意に識別する識別情報に対応する部材情報を、当該識別情報に対応する建築部材に関連付けて建築図面中に配置し、当該部材情報が配置された建築図面を出力する、部材情報管理システムが提案されている（例えば特許文献１参照）。
【０００４】
また、上述のような検査に伴って、検査対象の各部位の名称や撮影日等の各種の情報を書き込んだ黒板や、各部位の設計図面を、各部位と共に撮影することが行われている。あるいは、すべての情報を各部位と共に撮影するのではなく、工事事務所等に設置されたパソコンに各種の情報を入力し、この情報と、工事現場で撮影されパソコンに取り込まれた画像とを、このパソコンを用いて、所定のソフトで合成することも行われている。
【０００５】
さらに、被写体の図面を格納する図面テーブルと、図面テーブルに格納された図面を選択する選択部と、選択部によって選択された図面を表示する表示部とを備えることで、被写体を撮影する前に、表示部によって表示された図面を工事現場等において参照できるようにすると共に、被写体を撮影すると同時に、撮影した画像と表示部によって表示された図面とを相互に関連付ける関連付け部を備えた、撮影記録システムも提案されている（例えば特許文献２参照）。
【先行技術文献】
【特許文献】
【０００６】
【特許文献１】特開２０１０−２８２２７０号公報
【特許文献２】特開２０１０−１０１１５８号公報
【発明の概要】
【発明が解決しようとする課題】
【０００７】
ところで、上述の如き従来の撮影記録システムでは、図面テーブルに格納されている図面を簡易な選択操作で選択可能とするために、例えば図面を被写体情報に基づく複数のグループに分類して格納していた。この場合、図面テーブルを格納する記憶媒体のファイルシステム等に起因して、設定可能なグループ数に制限が生じたり、必要な図面の格納漏れが生じる可能性があった。また、図面を複数のグループに分類して図面テーブルに格納するための作業負荷が大きなものとなる可能性があった。さらに、グループの分類が多岐にわたる場合、所望の図面を表示部によって表示させるためには、グループの分類に応じて選択部を複数回操作しなければならず、煩雑な操作が必要となる可能性があった。
【０００８】
また、撮影した画像を整理する際に、各画像の被写体の配置情報（例えば、被写体が設けられている工区、通り芯、部材における位置（端部／中央、頭部／脚部等）等を特定する情報）を画像に関連付ける必要がある。しかし、上述の如き従来の撮影記録システムでは、撮影された画像と図面テーブルに格納された図面とを関連付けることはできるものの、被写体の配置情報を画像に関連付けることはできなかったため、作業者が事後的に配置情報を画像に関連付ける作業が必要となっていた。
【０００９】
ここで、上述の如き従来の部材情報管理システムを用いて、各建築部材に関連付けて部材情報が配置された建築図面を出力することで、検査時において、作業者は撮影対象の部材の配置情報を建築図面から読み取ることができる。しかしながら、建築図面から読み取れる配置情報を画像に関連付けるためには、その配置情報を作業者が手作業で端末装置等に入力しなければならず、作業負荷の低減には寄与していなかった。このように、従来の部材情報管理システムと撮影記録システムとの連携には向上の余地があった。
【００１０】
本発明は、上記に鑑みてなされたものであって、必要な図面を容易且つ確実に記録手段に記録させることができ、記録手段に記録されている所望の図面を容易に表示させることができ、被写体を撮影した画像と当該被写体の配置情報とを容易に関連付けることができる、部材情報管理システムを提供することを目的とする。
【課題を解決するための手段】
【００１１】
上述した課題を解決し、目的を達成するために、請求項１に記載の部材情報管理システムは、建築部材に関する部材図面と、前記建築部材を用いた建築物に関する建築図面とを格納する図面格納手段と、前記建築部材に関する部材情報と、当該建築部材を一意に識別する識別情報とを、前記部材図面から当該建築部材毎に抽出する部材情報抽出手段と、前記識別情報と、前記建築部材の配置に関する配置情報とを、前記建築図面から当該建築部材毎に抽出する配置情報抽出手段と、前記識別情報、前記部材情報抽出手段によって抽出された前記部材情報、及び、前記配置情報抽出手段によって抽出された前記配置情報を、相互に関連付けて格納する部材情報格納手段と、前記建築図面に含まれている前記建築部材に対応する識別情報を当該建築図面から取得し、当該取得した識別情報に対応する前記配置情報を前記部材情報格納手段から取得し、当該取得した識別情報と配置情報とを含む読取情報を、当該識別情報に対応する建築部材に関連付けて、当該建築図面中に配置する読取情報配置手段と、前記読取情報配置手段によって前記読取情報が配置された建築図面の少なくとも一部を出力する出力手段と、被写体を撮影する撮影手段と、前記撮影手段によって撮影された画像を格納する画像格納手段と、前記読取情報を読み取る読取手段と、前記読取手段によって読み取られた読取情報に含まれる前記配置情報を表示し、当該読取情報に含まれる前記識別情報に関連付けて前記部材情報格納手段に格納されている前記部材情報を表示する、表示手段と、前記画像格納手段に格納された前記画像と、前記表示手段によって表示された前記配置情報及び前記識別情報とを、相互に関連付ける関連付け手段と、を備える。
【００１２】
また、請求項２に記載の部材情報管理システムは、請求項１に記載の部材情報管理システムにおいて、前記建築図面は、当該建築図面に含まれている前記建築部材を一意に識別する識別情報である符号を有し、前記読取情報配置手段は、前記建築図面から前記符号を抽出し、当該抽出した符号に対応する前記配置情報を前記部材情報格納手段から取得し、当該取得した配置情報を含む前記読取情報を、当該建築図面中の当該符号の位置に対応付けて配置する。
【００１３】
また、請求項３に記載の部材情報管理システムは、請求項２に記載の部材情報管理システムにおいて、前記読取情報配置手段は、前記建築図面における通り芯の配置を基準として当該建築図面における前記符号の位置を特定し、当該特定した符号の位置に対応付けて前記読取情報を配置する。
【００１４】
また、請求項４に記載の部材情報管理システムは、請求項１から３のいずれか一項に記載の部材情報管理システムにおいて、前記読取情報配置手段は、前記読取情報を、光学的に読み取り可能な情報コードとして前記建築図面中に配置する。
【発明の効果】
【００１５】
請求項１に記載の部材情報管理システムによれば、読取情報配置手段は、建築図面に含まれている各建築部材の識別情報を当該建築図面から取得し、当該取得した識別情報に対応する配置情報を部材情報格納手段から取得し、当該取得した識別情報と配置情報とを含む読取情報を、識別情報に対応する建築部材に関連付けて、建築図面中に配置する。これにより、建築図面中に配置された読取情報を読取手段に読み取らせるという極めて簡易な操作のみで、読取情報に含まれる配置情報や、当該読取情報に含まれる建築部材の識別情報に関連付けて部材情報格納手段に格納されている部材情報を表示手段に表示させることができ、検査対象の建築部材の配置情報や部材情報を利用者に容易に確認させることができる。また、建築部材に関する部材情報と、当該建築部材の識別情報とが、部材情報抽出手段によって部材図面から建築部材毎に抽出され、当該抽出された部材情報と識別情報とが相互に関連付けられて部材情報格納手段に格納されるので、利用者が自ら部材情報を複数のグループに分類する必要がなく、容易且つ確実に必要な部材情報を部材情報格納手段に格納することができる。
【００１６】
また、請求項２に記載の部材情報管理システムによれば、読取情報配置手段は、建築図面から建築部材を一意に識別する識別情報である符号を抽出し、当該抽出した符号に対応する配置情報を含む読取情報を、建築図面中の符号の位置に対応付けて配置するので、建築図面中の各建築部材の位置に対応して容易に読取情報を配置することができる。
【００１７】
また、請求項３に記載の部材情報管理システムによれば、読取情報配置手段は、建築図面における通り芯の配置を基準として当該建築図面における符号の位置を特定し、当該特定した符号の位置に対応付けて読取情報を配置するので、建築図面における各建築部材の位置を容易且つ確実に特定し、当該特定した各建築部材の位置に対応して容易に読取情報を配置することができる。
【００１８】
また、請求項４に記載の部材情報管理システムによれば、読取情報配置手段は、識別情報と配置情報とを含む読取情報を、光学的に読み取り可能な情報コードとして建築図面中に配置するので、撮影装置を用いて容易に読取情報を読み取らせることができる。
【図面の簡単な説明】
【００１９】
【図１】実施の形態に係る部材情報管理システムの電気的構成を機能概念的に示したブロック図である。
【図２】梁についての部材図面を例示した図である。
【図３】伏図を概念的に例示した図である。
【図４】部材情報ＤＢに格納されている情報を例示した表である。
【図５】画像テーブルに格納されている情報を例示した表である。
【図６】部材情報テーブルに格納されている情報を例示した表である。
【図７】部材情報管理処理のフローチャートである。
【図８】部材情報抽出処理のフローチャートである。
【図９】端末装置の表示部に表示された部材表及び区画線の選択指示を例示した図である。
【図１０】端末装置の表示部に表示された部材表及び区画線の選択指示を例示した図である。
【図１１】表示部に表示された部材表と区画線の要否及び各区画の呼称の入力指示とを例示した図である。
【図１２】表示部に表示された部材表と区画線の要否及び各区画の呼称の入力指示とを例示した図である。
【図１３】表示部に表示された部材表と同上部材・不要部材の設定指示とを例示した図である。
【図１４】部材情報抽出部が抽出して表示部に表示させた識別情報及び部材情報を例示した図である。
【図１５】配置情報抽出処理のフローチャートである。
【図１６】端末装置の表示部に表示された通り芯の範囲の設定指示を例示した図である。
【図１７】表示部に表示された通り芯の符号選択指示を例示した図である。
【図１８】表示部に表示された全建築部材の符号選択指示を例示した図である。
【図１９】読取情報配置処理のフローチャートである。
【図２０】読取情報配置処理において表示部に表示される建築図面を例示した図である。
【図２１】読取情報配置処理において表示部に表示される建築図面を例示した図である。
【図２２】読取情報配置処理において表示部に表示される建築図面を例示した図である。
【図２３】読取情報配置処理において表示部に表示される建築図面を例示した図である。
【図２４】撮影処理のフローチャートである。
【図２５】建築図面に配置された情報コードを撮影部により撮影する状況を例示した図である。
【図２６】読取部によって読み取られた情報コードに含まれる各情報をディスプレイに表示した撮影装置を例示した図である。
【図２７】読取部によって取得された部材情報をディスプレイに表示した撮影装置を例示した図である。
【図２８】編集処理のフローチャートである。
【図２９】部材情報サーバの制御部によって生成されたアルバムの構成例を示す図である。
【発明を実施するための形態】
【００２０】
以下に添付図面を参照して、この発明に係る部材情報管理システムの実施の形態を詳細に説明する。まず、〔Ｉ〕実施の形態の基本的概念を説明した後、〔ＩＩ〕実施の形態の具体的内容について説明し、〔ＩＩＩ〕最後に、実施の形態に対する変形例について説明する。ただし、実施の形態によって本発明が限定されるものではない。
【００２１】
〔Ｉ〕実施の形態の基本的概念
まず、実施の形態の基本的概念について説明する。実施の形態に係る部材情報管理システムの適用対象は任意であり、例えば建設中の建物についての検査野帳や、製造中の製品の検査用帳票を出力すると共に、当該建設中の建物や製造中の製品を被写体として撮影記録を行うために用いることができる。ここで「部材」とは、建築物、機械、輸送機器、電子機器等の製品を構成する各要素を示す概念であり、例えば建築部材、機械部品、電子部品等を含む。以下の実施の形態においては、配筋検査用に、建設中の建物の各部材（例えば梁、スラブ、柱等）の配筋検査野帳を作成すると共に、工事検査記録用に、各部材を被写体とする場合を例に挙げて説明する。
【００２２】
この部材情報管理システムの特徴の一つは、概略的に、建築部材に関する部材情報と、当該建築部材を一意に識別する識別情報とを、部材図面から建築部材毎に抽出すると共に、建築部材の配置に関する配置情報を建築図面から建築部材毎に抽出し、これらの識別情報、部材情報、及び配置情報を、相互に関連付けて部材情報格納手段に格納する点、各建築部材についての識別情報と配置情報とを含む読取情報を、各建築部材に関連付けて建築図面中に配置する点、建築図面中に配置された読取情報を読取手段により読み取らせ、当該読み取った読取情報に基づいて配置情報や部材情報を表示する点、当該表示した配置情報と撮影された画像と関連付ける点等にある。
【００２３】
このシステムによれば、各建築部材に関する部材情報を、煩雑な分類作業を行うことなく容易且つ確実に部材情報格納手段に格納することができる。また、建築部材に関連付けて建築図面中に配置された読取情報を読取手段により読み取らせることにより、部材情報格納手段に格納された当該建築部材に関連する部材情報や配置情報を容易に表示させることができる。さらに、被写体を撮影した画像と当該被写体の配置情報とを容易に関連付けることができ、画像整理のための作業負荷を大幅に低減することができる。
【００２４】
〔ＩＩ〕実施の形態の具体的内容
次に、実施の形態の具体的内容について説明する。
【００２５】
（構成）
ます、本実施の形態に係る部材情報管理システムの構成について説明する。図１は、実施の形態に係る部材情報管理システムの電気的構成を機能概念的に示したブロック図である。図１に示すように、部材情報管理システム１は、インターネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）等のネットワーク２を介して、プリンタ３、端末装置４、部材情報サーバ１０、及び撮影装置２０が相互に通信可能に接続されて構成されている。
【００２６】
（構成−プリンタ、端末装置）
プリンタ３及び端末装置４は、ネットワーク２を介して部材情報サーバ１０から入力された建築図面の少なくとも一部を出力する出力手段である。プリンタ３としては、公知のプリンタを用いることができる。また、端末装置４としては、例えば公知の携帯型情報端末やノートブック型ＰＣ等を用いることができる。この端末装置４は、部材情報サーバ１０から入力された情報を表示する表示部４１を備えている。表示部４１としては、例えば液晶ディスプレイ等の公知の表示装置を用いることができる。
【００２７】
（構成−部材情報サーバ）
部材情報サーバ１０は、ネットワークＩＦ１１、制御部１２、及びデータ記録部１３を備えている。
【００２８】
（構成−部材情報サーバ−ネットワークＩＦ）
ネットワークＩＦ１１は、部材情報サーバ１０がネットワーク２を介した通信を行うための通信制御インターフェースである。このネットワークＩＦ１１は、例えばネットワークボードとして構成されている。
【００２９】
（構成−部材情報サーバ−制御部）
制御部１２は、部材情報サーバ１０の各部を制御する制御手段であり、具体的には、ＣＰＵ（Ｃｅｎｔｒａｌ  Ｐｒｏｃｅｓｓｉｎｇ  Ｕｎｉｔ）や、このＣＰＵ上で解釈実行される各種のプログラム（ＯＳなどの制御プログラムや、各種の処理手順などを規定したプログラム）、及び所要プログラムや所要データを格納するための内部メモリを備えて構成されるコンピュータである（後述する撮影装置２０の制御部についても同じ）。
【００３０】
この制御部１２は、機能概念的に、部材情報抽出部１２ａ、配置情報抽出部１２ｂ、及び読取情報配置部１２ｃを備えている。部材情報抽出部１２ａは、建築部材に関する部材情報と、当該建築部材を一意に識別する識別情報とを、部材図面から当該建築部材毎に抽出する部材情報抽出手段である。配置情報抽出部１２ｂは、識別情報と、建築部材の配置に関する配置情報とを、建築図面から当該建築部材毎に抽出する配置情報抽出手段である。読取情報配置部１２ｃは、識別情報と配置情報とを含む読取情報を、当該識別情報に対応する建築部材に関連付けて、建築図面中に配置する読取情報配置手段である。これらの制御部１２の各構成要素によって実行される処理の詳細については後述する。
【００３１】
（構成−部材情報サーバ−データ記録部）
データ記録部１３は、制御部１２が各種処理を実行する際に参照するテーブルやデータベース等を記憶するための記録手段であり、例えばハードディスクやその他の記録媒体によって構成されている（後述する撮影装置２０のデータ記録部についても同じ）。このデータ記録部１３は、図面データベース１３ａ（以下、データベースを「ＤＢ」と称する）、及び部材情報ＤＢ１３ｂを備えている。
【００３２】
図面ＤＢ１３ａは、建築部材に関する部材図面と、建築部材を用いた建築物に関する建築図面とを格納する図面格納手段である。ここで、部材図面とは、例えば梁、スラブ、柱、あるいは壁等の建築部材に関する図面であり、部材情報を含んでいる。部材情報には、例えば、各建築部材に使用される鉄筋の配置、鋼種、間隔、定着状態、継手等を特定する配筋情報や、当該建築部材の形状、寸法等が含まれる。図２は、梁についての部材図面を例示した図である。図２に示したように、部材図面は部材表を有している。この部材表は、区画線で区画された領域であって、建築部材を一意に識別するための識別情報を含むタイトル領域と、部材情報を含む部材情報領域とを有している。図２の例では、タイトル領域（部材表における太線で囲まれた領域）には、各梁の名称（「Ｇ５１」「Ｇ５２」等）、各梁のスパン（「５，０００」等）、各梁が配置されている階（「ＰＨ」「７」等）、及び梁の配筋情報や形状等の項目名（「巾×成」「配筋」等）が格納されている。これらの情報の内、例えば各梁の名称を建築部材の識別情報として用いることができる。また、部材情報領域（部材表におけるタイトル領域以外の領域）には、タイトル領域の各項目に関連付けて、梁の寸法（「５００×１，８００」等）、配筋図、主筋やあばら筋の規格や寸法等（「ＨＤ２５」「ＬＤ１３［２］＠１００」等）の情報が部材情報として格納されている。
【００３３】
図１に戻り、建築図面には、建築物を構成する梁、スラブ、柱、壁等の各建築部材の構造的な骨組みを平面図で表した伏図や、平面図、立面図、断面図、配置図等が含まれる。図３は、伏図を概念的に例示した図である。図３に示したように、伏図には、柱や壁の中心線となる通り芯が縦横に引かれており、この通り芯を基準として梁や柱等の建築部材の配置が示されている。なお、図３においてＸ軸と直交する方向の通り芯を「Ｘ方向の通り芯」と呼び、Ｙ軸と直交する方向の通り芯を「Ｙ方向の通り芯」と呼ぶ。また、これらの各通り芯を一意に識別する符号（（図３ではＸ方向の通り芯について「１」等、Ｙ方向の通り芯について「Ａ」等）が振られている。さらに、各建築部材の位置に対応して当該建築部材の名称を特定する符号（図３では「Ｇ１」等）が振られている。なお、図３では簡略化のため、梁に対応する符号のみを表記している。
【００３４】
図１に戻り、部材情報ＤＢ１３ｂは、建築部材を一意に識別する識別情報、部材情報抽出部１２ａによって抽出された部材情報、及び、配置情報抽出部１２ｂによって抽出された配置情報を、相互に関連付けて格納する部材情報格納手段である。図４は、部材情報ＤＢ１３ｂに格納されている情報を例示した表である。この図４に示すように、部材情報ＤＢ１３ｂには、項目「ＩＤ」、「階」、「符号」、「Ｘ１」、「Ｘ２」、「Ｙ１」、「Ｙ２」、及び「リスト画像」に対応する情報が、相互に関連付けて格納されている。この内、項目「ＩＤ」に対応して格納される情報は、建築部材毎に個別に割り当てられたＩＤ番号である（図４では「３００１」等）。項目「階」に対応して格納される情報は、建築物において各建築部材が配置される階を特定する情報である（図４では「２Ｆ」）。項目「符号」に対応して格納される情報は、建築部材を一意に識別する識別情報であり、例えば各建築部材の名称を特定する符号が格納される（図４では「Ｇ１」）。項目「Ｘ１」、「Ｘ２」、「Ｙ１」、及び「Ｙ２」に対応して格納される情報は、建築部材の配置に関する配置情報であり、例えば、建築図面における通り芯の配置を基準とした場合における各建築部材の配置を特定するための情報が格納される。図４の例では、項目「Ｘ１」及び「Ｘ２」に対応して、建築部材の配置位置に対応するＸ方向の通り芯の符号名が格納される（図４では「１」等）。例えば、建築部材がＸ方向の通り芯「１」の上に配置されている場合は、項目「Ｘ１」にのみ「１」が格納される。また、建築部材がＸ方向の通り芯「１」と「２」との間に配置されている場合は、項目「Ｘ１」に「１」が格納され、項目「Ｘ２」に「２」が格納される。同様に、項目「Ｙ１」及び「Ｙ２」に対応して、建築部材の配置位置に対応するＹ方向の通り芯の符号名が格納される（図４では「Ｅ」等）。例えば、建築部材がＹ方向の通り芯「Ｅ」の上に配置されている場合は、項目「Ｙ１」にのみ「Ｅ」が格納される。また、建築部材がＹ方向の通り芯「Ｅ」と「Ｆ」との間に配置されている場合は、項目「Ｙ１」に「Ｅ」が格納され、項目「Ｙ２」に「Ｆ」が格納される。また、項目「リスト画像」に対応して格納される情報は、部材情報抽出部１２ａによって抽出された部材情報であり、例えば部材図面の一部を切り取った画像データが格納される。なお、図４では、部材情報自体に代えて、部材情報の所在を示す情報（図４では「￥２Ｆ￥Ｇ１．ｗｍｆ」）が項目「リスト画像」に対応して格納されている場合を例示している。
【００３５】
（構成−撮影装置）
図１に戻り、撮影装置２０は、撮影部２１、ディスプレイ２２、制御部２３、及びデータ記録部２４を備えている。
【００３６】
（構成−撮影装置−撮影部）
撮影部２１は、被写体を撮影する撮影手段である。この撮影部２１は、例えばＣＣＤ（Ｃｈａｒｇｅ  Ｃｏｕｐｌｅｄ  Ｄｅｖｉｃｅｓ）素子等の公知の撮像素子を用いて構成されており、撮影した画像を制御部２３に出力する。
【００３７】
（構成−撮影装置−ディスプレイ）
ディスプレイ２２は、制御部２３の制御に基づいて各種情報を表示する表示手段である。このディスプレイ２２としては、例えば液晶ディスプレイ等の公知の表示手段を用いることができる。
【００３８】
（構成−撮影装置−制御部）
制御部２３は、撮影装置２０の各部を制御する制御手段であり、機能概念的に、読取部２３ａ、及び関連付け部２３ｂを備えている。読取部２３ａは、撮影部２１によって撮影された画像に基づき、読取情報を読み取る読取手段である。関連付け部２３ｂは、後述する画像テーブル２４ａに格納された画像と、ディスプレイ２２によって表示された配置情報及び識別情報とを、相互に関連付ける関連付け手段である。これらの制御部２３の各構成要素によって実行される処理の詳細については後述する。
【００３９】
（構成−撮影装置−データ記録部）
データ記録部２４は、制御部２３が各種処理を実行する際に参照するテーブルやデータベース等を記憶するための記録手段であり、画像テーブル２４ａ、及び部材情報テーブル２４ｂを備えている。
【００４０】
画像テーブル２４ａは、撮影部２１によって撮影された画像を格納する画像格納手段である。図５は、画像テーブル２４ａに格納されている情報を例示した表である。この図５に示すように、画像テーブル２４ａには、項目「ＩＤ」、「階」、「符号」、「部位」、「位置」、及び「撮影画像」に対応する情報が相互に関連付けて格納されている。この内、項目「ＩＤ」に対応して格納される情報は、被写体を一意に識別するためのＩＤ番号である（図５では「３００１」等）。項目「階」に対応して格納される情報は、建築物において各建築部材が配置される階を特定する情報である（図５では「２Ｆ」）。項目「符号」に対応して格納される情報は、建築部材を一意に識別する識別情報であり、例えば各建築部材の名称を特定する符号が格納される（図５では「Ｇ１」）。項目「部位」に対応して格納される情報は、建築部材の種別名を特定する情報である（図５では「大梁」）。項目「位置」に対応して格納される情報は、建築部材の配置に関する配置情報であり、例えば、建築図面における通り芯の配置を基準とした場合における各建築部材の配置を特定するための情報が格納される（図５では「１＊Ｅ−Ｆ」等）。項目「撮影画像」に対応して格納される情報は、撮影部２１よって撮影された画像データである（図５では「ＰＩＣＴ３００１１．ｊｐｇ」等）。なお、画像データのファイル形式は任意で、例えばビットマップ形式やＪＰＥＧ形式等の各種のファイル形式を用いることができる。
【００４１】
図１に戻り、部材情報テーブル２４ｂは、部材情報を格納するための格納手段である。図６は、部材情報テーブル２４ｂに格納されている情報を例示した表である。この図６に示すように、部材情報テーブル２４ｂには、項目「ＩＤ」及び「リスト画像」に対応する情報が相互に関連付けて格納されている。この内、項目「ＩＤ」に対応して格納される情報は、建築部材毎に個別に割り当てられたＩＤ番号である（図６では「３００１」等）。項目「リスト画像」に対応して格納される情報は、部材情報であり、例えば部材図面の一部を切り取った画像データが格納される。なお、図６では、部材情報自体に代えて、部材情報の所在を示す情報（図６では「￥２Ｆ￥Ｇ１．ｊｐｇ」）が項目「リスト画像」に対応して格納されている場合を例示している。
【００４２】
（処理−部材情報管理処理）
次に、このように構成される部材情報管理システム１によって実行される部材情報管理処理について説明する。図７は部材情報管理処理のフローチャートである（以下の各処理の説明ではステップを「Ｓ」と略記する）。この部材情報管理処理は、例えば端末装置４における公知の入力手段（図示省略）を介して部材情報管理処理の起動指示入力が行われた場合に起動される。
【００４３】
図７に示すように、部材情報管理処理が起動されると、部材情報抽出部１２ａは、建築部材に関する部材情報と、当該建築部材を一意に識別する識別情報とを、部材図面から当該建築部材毎に抽出する部材情報抽出処理を実行する（ＳＡ１）。続いて、配置情報抽出部１２ｂは、識別情報と、建築部材の配置に関する配置情報とを、建築図面から当該建築部材毎に抽出する配置情報抽出処理を実行する（ＳＡ２）。続いて、読取情報配置部１２ｃは、識別情報と配置情報とを含む読取情報を、当該識別情報に対応する建築部材に関連付けて、当該建築図面中に配置する読取情報配置処理を実行する（ＳＡ３）。以下、これらの部材情報抽出処理、配置情報抽出処理、及び読取情報配置処理について、それぞれ説明する。
【００４４】
（処理−部材情報抽出処理）
図８は、部材情報抽出処理のフローチャートである。図８に示すように、部材情報抽出処理が起動されると、部材情報抽出部１２ａは、図面ＤＢ１３ａに格納されている部材図面から部材表を取得する（ＳＢ１）。この時、部材情報抽出部１２ａは部材表をベクターデータとして取得する。部材表の取得方法は任意で、例えば、端末装置４の表示部４１に部材図面を表示させ、ユーザに部材図面における部材表の領域を公知の入力手段を介して選択させ、当該選択された領域に含まれる図形をベクターデータとして取得する。あるいは、ユーザにより予め部材図面からベクターデータとして切り出された部材表を図面ＤＢ１３ａに格納しておき、当該ベクターデータを図面ＤＢ１３ａから取得する。
【００４５】
次に、部材情報抽出部１２ａは、ＳＢ１で取得した部材表を端末装置４の表示部４１に表示させると共に、当該部材表における区画線の選択指示を表示させる（ＳＢ２）。図９及び図１０は、端末装置４の表示部４１に表示された部材表及び区画線の選択指示を例示した図である。図９及び図１０に示すように、図２に例示した部材図面からベクターデータとして取得された部材表が表示部４１に表示されると共に、当該部材表における区画線の選択を促す指示（図９及び図１０では「区画線選択」ウィンドウ）が表示される。
【００４６】
図８に戻り、部材情報抽出部１２ａは、表示部４１に表示させた部材表のベクターデータに含まれる線が選択されたか否かを判定する（ＳＢ３）。その結果、線が選択されていない場合（ＳＢ３、Ｎｏ）、部材情報抽出部１２ａは線が選択されたか否かを再度判定する（ＳＢ３）。一方、線が選択された場合（ＳＢ３、Ｙｅｓ）、部材情報抽出部１２ａは、選択された線以上の長さの線を区画線として特定する（ＳＢ４）。例えば、図９に示した部材表を構成する線のうち、部材表の左端から右端に至る水平線の何れか一本が選択されると、当該選択された線の長さ以上の他の水平線を区画線として特定する（図９の部材表における水平方向の太線）。また、図１０に示した部材表を構成する線のうち、部材表の中央近傍から下端に至る垂直線（図１０中の「Ａ」）が選択されると、当該選択された線の長さ以上の他の垂直線を区画線として特定する（図１０の部材表における垂直方向の太線）。
【００４７】
この時、部材情報抽出部１２ａは区画線として特定された各線の座標情報を取得し、当該取得した各区画線の座標情報を区画線テーブルとして表示部４１に表示させる（図９及び図１０では左上のテーブル）。この区画線テーブルには、テーブル項目「Ｔ」、「Ｄ」、「ＸＳ」、「ＹＳ」、「ＸＥ」、「ＹＥ」、及び「３ｐｔ」に対応する情報が相互に関連付けて格納されている。項目「Ｔ」に対応して格納される情報は、線の種別を特定する情報である（図９及び図１０では区画線を意味する「Ｌ」等）。項目「Ｄ」に対応して格納される情報は、線の方向を特定する情報である（図９及び図１０では水平方向について「０」、垂直方向について「１」）。項目「ＸＳ」に対応して格納される情報は、線の始点のＸ座標を特定する情報である（図９及び図１０では「０」等）。項目「ＹＳ」に対応して格納される情報は、線の始点のＹ座標を特定する情報である（図９及び図１０では「０」等）。項目「ＸＥ」に対応して格納される情報は、線の終点のＸ座標を特定する情報である（図９及び図１０では「５４７」等）。項目「ＹＥ」に対応して格納される情報は、線の終点のＹ座標を特定する情報である（図９及び図１０では「１」等）。項目「３ｐｔ」に対応して格納される情報は、線に対応する名称等を特定する情報である。
【００４８】
図８に戻り、部材情報抽出部１２ａは、区画線の選択が完了したか否かを判定する（ＳＢ５）。例えば、公知の入力手段を介して区画線の選択が完了した旨の入力がされた場合（図９及び図１０では、「区画線選択」ウィンドウの「完了」ボタンが押された場合）、区画線の選択が完了したと判定する。
【００４９】
その結果、区画線の選択が完了していない場合（ＳＢ５、Ｎｏ）、部材情報抽出部１２ａはＳＢ３に戻り、部材表のベクターデータに含まれる線が選択されたか否かを判定する（ＳＢ３）。その後、区画線の選択が完了する（ＳＢ５、Ｙｅｓ）まで、ＳＢ３からＳＢ５の処理を繰り返す。
【００５０】
一方、区画線の選択が完了した場合（ＳＢ５、Ｙｅｓ）、部材情報抽出部１２ａは、特定された区画線の要否及び各区画の呼称の入力指示を表示させる（ＳＢ６）。
【００５１】
図１１及び図１２は、表示部４１に表示された部材表と区画線の要否及び各区画の呼称の入力指示とを例示した図である。図１１及び図１２に示すように、区画線の要否及び各区画の呼称を入力するための入力欄（図１１及び図１２では「区画の要否と呼称」ウィンドウ）が表示部４１に表示される。なお、図１１及び図１２における網掛け領域は、入力手段を介して当該領域が選択されている状態を示している。
【００５２】
図８に戻り、部材情報抽出部１２ａは、区画線の要否及び各区画の呼称が入力されたか否かを判定する（ＳＢ７）。その結果、区画線の要否及び各区画の呼称が入力されていない場合（ＳＢ７、Ｎｏ）、部材情報抽出部１２ａは区画線の要否及び各区画の呼称が入力されたか否かを再度判定する（ＳＢ７）。一方、区画線の要否及び各区画の呼称が入力された場合（ＳＢ７、Ｙｅｓ）、部材情報抽出部１２ａは、入力された区画線の要否及び各区画の呼称を区画線テーブルに反映する（ＳＢ８）。
【００５３】
例えば、図１１において、部材表の最上段の行（項目「名称」に対応する行）の直下の行（項目「スパン」に対応する行）が選択され、当該行に対応する区画が不要であることを示す「／」が入力欄に入力された場合、部材情報抽出部１２ａは、部材表の最上段の行と、その直下の行とを区画する区画線が不要なものとし、これらの二つの行をまとめて一つの行として扱う。これに対応して、区画線テーブルの項目「３ｐｔ」において不要な区画線に対応する部分に「／」を格納するとともに、部材表における当該不要な区画線の表示を太い実線から点線に変更する。
【００５４】
また、図１２において、部材表のうち「Ｇ５１」に対応する列が選択され、当該列に対応する区画の名称として「Ｇ５１」が入力欄に入力された場合、部材情報抽出部１２ａは、当該選択されている列の名称を「Ｇ５１」と設定する。これに対応して、区画線テーブルの項目「３ｐｔ」において、選択された列に対応する区画線（垂直方向の区画線のうち、部材表の左端から３本目の区画線）に対応する部分に「Ｇ５１」を格納する。
【００５５】
また、図１１及び１２において、部材表の最上段の行（項目「名称」に対応する行）が選択され、当該行に対応する区画がタイトル領域であることを示す「＊」が入力欄に入力された場合、部材情報抽出部１２ａは、部材表の最上段の行の上側の水平方向の区画線から次の水平方向の区画線（水平方向の区画線のうち、部材表の上端から２本目の区画線）までの領域をタイトル領域として扱う。これに対応して、区画線テーブルの項目「３ｐｔ」において、部材表の最上段の行の上側の水平方向の区画線に対応する部分に「＊」を格納する。
【００５６】
図８に戻り、部材情報抽出部１２ａは、区画線の要否及び各区画の呼称の入力が完了したか否かを判定する（ＳＢ９）。例えば、公知の入力手段を介して区画線の要否及び各区画の呼称の入力が完了した旨の入力がされた場合、区画線の要否及び各区画の呼称の入力が完了したと判定する。
【００５７】
その結果、区画線の要否及び各区画の呼称の入力が完了していない場合（ＳＢ９、Ｎｏ）、部材情報抽出部１２ａはＳＢ７に戻り、区画線の要否及び各区画の呼称が入力されたか否かを判定する（ＳＢ７）。その後、区画線の要否及び各区画の呼称の入力が完了する（ＳＢ９、Ｙｅｓ）まで、ＳＢ７からＳＢ９の処理を繰り返す。
【００５８】
一方、区画線の要否及び各区画の呼称の入力が完了した場合（ＳＢ９、Ｙｅｓ）、部材情報抽出部１２ａは、同上部材・不要部材の設定指示を表示させる（ＳＢ１０）。
【００５９】
図１３は、表示部４１に表示された部材表と同上部材・不要部材の設定指示とを例示した図である。図１３に示すように、同上部材・不要部材の設定が完了したか否かを確認するための画面（図１３では「同上・不要部材の設定」ウィンドウ）が表示部４１に表示される。この時、部材情報抽出部１２ａは、同上部材・不要部材の設定を行うための同上・不要部材設定テーブル（図１３では「確認・設定画面」ウィンドウ内）を表示部４１に表示させる。ここで「同上部材」とは、直上階の建築部材と配筋や寸法等が同じ建築部材を意味するものであり、部材表における同上部材に対応する部分には例えば「同上」と記載される。また、「不要部材」とは、直上階や直下階に建築部材が存在するために部材表においては区画が存在するものの、実際には当該区画に建築部材が存在しないことを意味するものであり、部材表における不要部材に対応する部分には例えば斜線が引かれる。
【００６０】
同上・不要部材設定テーブルには、テーブル項目として各階の名称（図１３では「ＰＨ」「７Ｆ」等）と区画の名称（図１３では「Ｇ５１」「Ｇ５２」等）とが設けられており、これらの項目に対応して建築部材の上下階間での異同を特定するための記号（図１３では「１」「２」等）が格納されている。例えば、名称「Ｇ５１」において、階「ＰＨ」に記号「１」、階「７Ｆ」及び「６Ｆ」に記号「２」が格納されている場合、当該名称「Ｇ５１」の階「ＰＨ」の建築部材と階「７Ｆ］の建築部材とは異なっているが、階「７Ｆ」の建築部材と階「６Ｆ」の建築部材とは同じであることを意味している。また、名称「Ｇ５４」において、階「ＰＨ」に記号「１」、階「７Ｆ」に記号「０」、階「６Ｆ」に記号「３」が格納されている場合、当該名称「Ｇ５４」の階「ＰＨ」の建築部材と階「６Ｆ］の建築部材とは異なっており、階「７Ｆ」には建築部材が存在しないことを意味している。
【００６１】
図８に戻り、部材情報抽出部１２ａは、同上部材・不要部材の設定がされたか否かを判定する（ＳＢ１１）。その結果、同上部材・不要部材の設定がされていない場合（ＳＢ１１、Ｎｏ）、部材情報抽出部１２ａは同上部材・不要部材の設定がされたか否かを再度判定する（ＳＢ１１）。一方、同上部材・不要部材の設定がされた場合（ＳＢ１１、Ｙｅｓ）、部材情報抽出部１２ａは、入力された同上部材・不要部材の設定指示を同上・不要部材設定テーブルに反映する（ＳＢ１２）。
【００６２】
例えば、図１３に示した部材表においては、名称「Ｇ５１」「Ｇ５２」「Ｇ５３」の階「６Ｆ」に対応する部分に「同上」と記載されていることから、当該部分に対応する建築部材は同上部材であることが分る。この場合、公知の入力手段を介して、同上・不要部材設定テーブルにおける名称「Ｇ５１」「Ｇ５２」「Ｇ５３」の階「６Ｆ」に対応する各部分に、直上階である階「７Ｆ」に記載されている記号「２」が入力されると、部材情報抽出部１２ａは当該入力結果を同上・不要部材設定テーブルに反映して表示部４１に表示させる。
【００６３】
また、図１３に示した部材表においては、名称「Ｇ５４」の階「７Ｆ」に対応する部分に斜線が引かれていることから、当該部分に対応する建築部材は存在しないことが分る。この場合、公知の入力手段を介して、同上・不要部材設定テーブルにおける名称「Ｇ５４」の階「６Ｆ」に対応する各部分に記号「０」が入力されると、部材情報抽出部１２ａは当該入力結果を同上・不要部材設定テーブルに反映して表示部４１に表示させる。
【００６４】
図８に戻り、部材情報抽出部１２ａは、同上部材・不要部材の設定が完了したか否かを判定する（ＳＢ１３）。例えば、公知の入力手段を介して同上部材・不要部材の設定が完了した旨の入力がされた場合（図１３では、「同上・不要部材の設定」ウィンドウの「ＯＫ」ボタンが押された場合）、同上部材・不要部材の設定が完了したと判定する。
【００６５】
その結果、同上部材・不要部材の設定が完了していない場合（ＳＢ１３、Ｎｏ）、部材情報抽出部１２ａはＳＢ１１に戻り、同上部材・不要部材の設定がされたか否かを判定する（ＳＢ１１）。その後、同上部材・不要部材の設定が完了する（ＳＢ１３、Ｙｅｓ）まで、ＳＢ１１からＳＢ１３の処理を繰り返す。
【００６６】
一方、同上部材・不要部材の設定が完了した場合（ＳＢ１３、Ｙｅｓ）、部材情報抽出部１２ａは、区画線テーブルに基づき、部材表におけるタイトル領域及び部材情報領域を特定する（ＳＢ１４）。例えば、部材情報抽出部１２ａは各区画線について区画線テーブルの項目「３ｐｔ」を参照し、「＊」が格納されている区画線に対応する領域をタイトル領域として特定し、それ以外の領域を部材情報領域として特定する。
【００６７】
次に、部材情報抽出部１２ａは、区画線によって区画された部材表の各ベクターデータの内、タイトル領域に対応するベクターデータと部材情報領域に対応するベクターデータとを組み合わせたデータを部材情報及び識別情報として建築部材毎に抽出し、当該抽出したデータをデータ記録部１３に記録する（ＳＢ１５）。
【００６８】
例えば、部材情報抽出部１２ａは、タイトル領域を区画する水平方向の区画線と垂直方向の区画線との双方に囲まれた領域（例えば部材表の左上端の領域、以下「タイトル区画」）に含まれるベクターデータと、タイトル領域において相互に隣接する水平方向及び垂直方向の区画線にて囲まれた各領域（以下、「識別区画」）に含まれるベクターデータと、これらの各識別区画と共通の区画線によって区画される部材情報領域中の領域（以下、「部材区画」）に含まれるベクターデータとを組合わせる。そして、組合わせたデータを、建築部材毎の識別情報及び部材情報として表示部４１に表示させると共に、データ記録部１３に記録する。
【００６９】
図１４は、部材情報抽出部１２ａが抽出して表示部４１に表示させた識別情報及び部材情報を例示した図である。この図１４では、タイトル区画に含まれるベクターデータと、階「ＰＨ」を含む識別区画及び名称「Ｇ５１」を含む識別区画に含まれるベクターデータと、これらの識別区画と共通の区画線によって区画された部材区画に含まれる配筋情報等のベクターデータとが、相互に組み合わされて表示されている。さらに、図１４の例では、名称「Ｇ５１」に対応する列の両側に、元の部材表において当該列に隣接する所定幅の領域に含まれるベクターデータを組合わせている。これにより、建築部材の端部や隣接領域における配筋情報（定着状態や継手等）を、当該建築部材の部材情報に含めることができる。この図１４の例では、部材情報抽出部１２ａは、識別区画を区画している水平方向の区画線の名称である「ＰＨ」と、識別区画を区画している垂直方向の区画線の名称である「Ｇ５１」とを、識別情報として抽出し、これらの識別区画と共通の区画線によって区画された部材区画に含まれる配筋情報等のベクターデータを部材情報として抽出する。この場合、部材情報抽出部１２ａは、識別区画を区画している水平方向の区画線の名称（すなわち、階の名称）である「ＰＨ」をフォルダ名とするデータフォルダをデータ記録部１３内に設ける。そして、上述のように部材表から抽出して組合わせたベクターデータに、識別区画を区画している垂直方向の区画線の名称（すなわち、建築部材の名称）である「Ｇ５１」をファイル名として付して、データ記録部１３の「ＰＨ」フォルダに格納する。なお、抽出した部材情報を部材情報ＤＢ１３ｂに格納する際に、他のデータ形式（例えばＪＰＥＧ形式）等に変換して格納してもよい。
【００７０】
図８に戻り、ＳＢ１５の処理の後、制御部１２は部材情報抽出処理を終了してメインルーチンに戻る。
【００７１】
（処理−配置情報抽出処理）
次に、配置情報抽出処理について説明する。図１５は、配置情報抽出処理のフローチャートである。図１５に示すように、配置情報抽出処理が起動されると、配置情報抽出部１２ｂは、図面ＤＢ１３ａから建築図面を読み込む（ＳＣ１）。建築図面の読込方法は任意で、例えば端末装置４の表示部４１に建築図面を表示させ、ユーザに建築図面における必要な領域を公知の入力手段を介して選択させ、当該選択された領域に含まれる図形をベクターデータとして取得する。あるいは、ユーザにより予め建築図面から必要な領域として切り出されたベクターデータを図面ＤＢ１３ａに格納しておき、当該ベクターデータを図面ＤＢ１３ａから取得する。
【００７２】
続いて、配置情報抽出部１２ｂは、ＳＣ１で取得した建築図面を端末装置４の表示部４１に表示させると共に、当該建築図面における通り芯の範囲の設定指示を表示させる（ＳＣ２）。図１６は、端末装置４の表示部４１に表示された通り芯の範囲の設定指示を例示した図である。図１６に示すように、図３に例示した建築図面から必要な領域として取得されたベクターデータが表示部４１に表示されると共に、当該領域における通り芯の範囲の設定を促す指示（図１６では「通り芯の始終点の設定」ウィンドウ）が表示される。図１６におけるハッチング領域は、選択された通り芯の範囲を示す。
【００７３】
図１５に戻り、配置情報抽出部１２ｂは、表示部４１に表示させた建築図面における通り芯の範囲が設定されたか否かを判定する（ＳＣ３）。その結果、通り芯の範囲が設定されていない場合（ＳＣ３、Ｎｏ）、配置情報抽出部１２ｂは通り芯の範囲が設定されたか否かを再度判定する（ＳＣ３）。一方、通り芯の範囲が設定された場合（ＳＣ３、Ｙｅｓ）、配置情報抽出部１２ｂは、設定された通り芯の範囲の表示画面における座標値を取得し、ＲＡＭ（図示省略）に記憶させる（ＳＣ４）。
【００７４】
続いて、配置情報抽出部１２ｂは、図面ＤＢ１３ａに格納されている元の建築図面における、通り芯の符号選択指示を表示部４１に表示させる（ＳＣ５）。図１７は、表示部４１に表示された通り芯の符号選択指示を例示した図である。通り芯の符号の選択方法は任意で、例えば表示部４１に図３に例示したような建築図面を表示させ、ユーザに建築図面における通り芯の符号を公知の入力手段を介して選択させる。
【００７５】
図１５に戻り、配置情報抽出部１２ｂは、建築図面における通り芯の符号の選択が完了したか否かを判定する（ＳＣ６）。例えば、公知の入力手段を介して通り芯の符号を選択した旨の入力がされた場合（図１７では、「符号選択」ウィンドウの「ＯＫ」ボタンが押された場合）、通り芯の符号の選択が完了したと判定する。その結果、建築図面における通り芯の符号の選択が完了していない場合（ＳＣ６、Ｎｏ）、配置情報抽出部１２ｂは通り芯の符号の選択が完了したか否かを再度判定する（ＳＣ６）。一方、通り芯の符号の選択が完了した場合（ＳＣ６、Ｙｅｓ）、配置情報抽出部１２ｂは、選択された各通り芯の符号の座標値を取得する（ＳＣ７）。
【００７６】
この時、配置情報抽出部１２ｂは、取得した各符号の座標情報を通り芯符号テーブルとして表示部４１に表示させる（図１７では左上のテーブル）。この通り芯符号テーブルには、項目「Ｎｏ．」「名」「ＸＳ」「ＹＳ」「高」「幅」「度」に対応する情報が相互に関連付けて格納される。項目「Ｎｏ．」に対応して格納される情報は、通り芯毎に個別に割り当てられるＩＤ番号（図１７では「１００１」等）である。項目「名」に対応して格納される情報は、各通り芯の符号を特定する情報（図１７では「１」「Ａ」等）である。項目「ＸＳ」に対応して格納される情報は、建築図面における通り芯の符号のＸ座標（図１７では「５８２」等）である。特に、Ｘ方向の通り芯については、符号のＸ座標が当該通り芯のＸ座標と対応する。項目「ＹＳ」に対応して格納される情報は、建築図面における通り芯の符号のＹ座標（図１７では「２９８」等）である。特に、Ｙ方向の通り芯については、符号のＹ座標が当該通り芯のＹ座標と対応する。項目「高」に対応して格納される情報は、建築図面における通り芯の符号の文字高さ（図１７では「６」等）である。項目「幅」に対応して格納される情報は、建築図面における通り芯の符号の文字幅（図１７では「５」等）が格納される。項目「度」には建築図面における通り芯の符号の傾きが格納される。
【００７７】
図１５に戻り、配置情報抽出部１２ｂは、図面ＤＢ１３ａに格納されている元の建築図面における、全建築部材の符号選択指示を表示部４１に表示させる（ＳＣ８）。図１８は、表示部４１に表示された全建築部材の符号選択指示を例示した図である。建築部材の符号の選択方法は任意で、例えば表示部４１に図３に例示したような建築図面を表示させ、ユーザに建築図面における建築部材の符号を公知の入力手段を介して選択させる。
【００７８】
図１５に戻り、配置情報抽出部１２ｂは、建築図面における全建築部材の符号の選択が完了したか否かを判定する（ＳＣ９）。例えば、公知の入力手段を介して全建築部材の符号を選択した旨の入力がされた場合（図１８では、「符号選択」ウィンドウの「ＯＫ」ボタンが押された場合）、建築部材の符号の選択が完了したと判定する。その結果、建築図面における全建築部材の符号の選択が完了していない場合（ＳＣ９、Ｎｏ）、配置情報抽出部１２ｂは全建築部材の符号の選択が完了したか否かを再度判定する（ＳＣ９）。
【００７９】
一方、全建築部材の符号の選択が完了した場合（ＳＣ９、Ｙｅｓ）、配置情報抽出部１２ｂは、選択された各建築部材の符号の座標値を取得する（ＳＣ１０）。そして、ＳＣ７で取得した各通り芯の符号の座標値と、ＳＣ１０で取得した各建築部材の符号の座標値とに基づき、建築図面における通り芯の配置を基準として建築部材の符号の位置を特定する（ＳＣ１１）。例えば配置情報抽出部１２ｂは、図１７に例示した通り芯符号テーブルを参照し、ＳＣ１０で取得した各建築部材の符号のＸ座標から所定範囲内に通り芯の符号のＸ座標が位置するＸ方向の通り芯、及び建築部材の符号のＹ座標から所定範囲内に通り芯の符号のＹ座標が位置するＹ方向の通り芯を特定する。これにより、配置情報抽出部１２ｂは、建築図面において建築部材の符号が何れの通り芯の上、又は通り芯の間に位置しているかを特定する。図３に例示したように、建築図面においては各建築部材の位置に対応するように当該建築部材の名称を特定する符号が配置されていることから、建築図面における通り芯の配置を基準として特定した建築部材の符号の位置を、建築部材の配置に関する配置情報として抽出することができる。
【００８０】
この時、配置情報抽出部１２ｂは、抽出した各建築部材の識別情報及び配置情報を部材符号テーブルとして表示部４１に表示させる（図１８では左上のテーブル）。この部材符号テーブルには、項目「Ｎｏ．」「名」「Ｘ１」「Ｘ２」「Ｙ１」「Ｙ２」に対応する情報が相互に関連付けて格納される。項目「Ｎｏ．」に対応して格納される情報は、建築部材毎に個別に割り当てられるＩＤ番号（図１８では「３００１」等）である。項目「名」に対応して格納される情報は、建築部材を一意に識別する識別情報であり、各建築部材の名称を特定する符号（図１８では「Ｇ１」等）が格納される。項目「Ｘ１」、「Ｘ２」、「Ｙ１」、及び「Ｙ２」に対応して格納される情報は、建築部材の配置に関する配置情報であり、建築図面における通り芯の配置を基準とした場合における各建築部材の符号の位置を特定する情報が格納される。図１８の例では、項目「Ｘ１」及び「Ｘ２」に対応して、建築部材の符号の位置に対応するＸ方向の通り芯の符号名が格納される（図１８では「１」等）。例えば、建築部材の符号がＸ方向の通り芯「１」の上に配置されている場合は、項目「Ｘ１」にのみ「１」が格納される。また、建築部材の符号がＸ方向の通り芯「１」と「２」との間に配置されている場合は、項目「Ｘ１」に「１」が格納され、項目「Ｘ２」に「２」が格納される。同様に、項目「Ｙ１」及び「Ｙ２」に対応して、建築部材の符号の位置に対応するＹ方向の通り芯の符号名が格納される（図１８では「Ｅ」等）。例えば、建築部材の符号がＹ方向の通り芯「Ｅ」の上に配置されている場合は、項目「Ｙ１」にのみ「Ｅ」が格納される。また、建築部材の符号がＹ方向の通り芯「Ｅ」と「Ｆ」との間に配置されている場合は、項目「Ｙ１」に「Ｅ」が格納され、項目「Ｙ２」に「Ｆ」が格納される。
【００８１】
図１５に戻り、配置情報抽出部１２ｂは、ＳＣ１１で特定した建築部材の符号の位置（すなわち各建築部材の配置情報）と、図８の部材情報抽出処理で部材情報抽出部１２ａが抽出した部材情報とを、ＳＣ１１で位置を特定した建築部材の符号（すなわち建築部材の識別情報）毎に相互に関連付けて部材情報ＤＢ１３ｂに格納する（ＳＣ１２）。例えば配置情報抽出部１２ｂは、図１８に例示した部材符号テーブルの項目「Ｎｏ．」に対応して格納されているＩＤ番号を、図４に例示した部材情報ＤＢ１３ｂの項目「ＩＤ」に対応付けて当該部材情報ＤＢ１３ｂに格納する。また、配置情報抽出部１２ｂは、図１８に例示した部材符号テーブルの項目「名」に対応して格納されている符号を、図４に例示した部材情報ＤＢ１３ｂの項目「符号」に対応付けて当該部材情報ＤＢ１３ｂに格納する。また、配置情報抽出部１２ｂは、図１８に例示した部材符号テーブルの項目「Ｘ１」、「Ｘ２」、「Ｙ１」、及び「Ｙ２」に対応して格納されている各情報を、図４に例示した部材情報ＤＢ１３ｂの項目「Ｘ１」、「Ｘ２」、「Ｙ１」、及び「Ｙ２」に対応付けて当該部材情報ＤＢ１３ｂに格納する。また、配置情報抽出部１２ｂは、ＳＣ１で読み込んだ建築図面に対応する階を当該建築図面のファイル名等に基づいて特定し、当該特定した階の名称を、部材情報ＤＢ１３ｂの項目「階」に対応付けて当該部材情報ＤＢ１３ｂに格納する。さらに配置情報抽出部１２ｂは、データ記録部１３において、特定した階の名称のフォルダを参照し、部材情報ＤＢ１３ｂの項目「符号」に対応して格納した符号と同一名称のファイルを当該符号に対応する部材情報として特定し、当該ファイルの所在を示す情報を部材情報ＤＢ１３ｂの項目「リスト画像」に対応付けて当該部材情報ＤＢ１３ｂに格納する。
【００８２】
図１５に戻り、ＳＣ１２の処理の後、配置情報抽出部１２ｂは、図１７に例示した通り芯符号テーブル、ＳＣ１０で取得した各建築部材の符号の座標値、及び、図１８に例示した部材符号テーブルを、ＳＣ１で読み込んだ建築図面に対応付けて、図面ＤＢ１３ａに格納する（ＳＣ１３）。その後、制御部１２は配置情報抽出処理を終了してメインルーチンに戻る。
【００８３】
（処理−読取情報配置処理）
次に、読取情報配置処理について説明する。図１９は、読取情報配置処理のフローチャートである。図１９に示すように、読取情報配置処理が起動されると、読取情報配置部１２ｃは、図１５のＳＣ１３で図面ＤＢ１３ａに格納された建築図面と、当該建築図面に対応する通り芯符号テーブル、各建築部材の符号の座標値、及び、部材符号テーブルとを、当該図面ＤＢ１３ａから読み込む（ＳＤ１）。
【００８４】
続いて、読取情報配置部１２ｃは、ＳＤ１で読み込んだ建築図面に含まれている各建築部材の符号（すなわち各建築部材の識別情報）を抽出し（ＳＤ２）、当該抽出した各建築部材の符号に対応する配置情報を、部材情報ＤＢ１３ｂから取得する（ＳＤ３）。読取情報配置部１２ｃは、例えば、ＳＤ１で建築図面と共に読み込んだ部材符号テーブルを参照することにより、建築図面に含まれている各建築部材の符号、及び当該符号に対応するＩＤ番号を抽出し、当該抽出したＩＤ番号に対応する配置情報を、部材情報ＤＢ１３ｂから取得する。あるいは、各建築部材の符号に対応する配置情報を、部材符号テーブルから直接取得してもよい。
【００８５】
続いて、読取情報配置部１２ｃは、ＳＤ２で当該読取情報配置部１２ｃが抽出した各建築部材の符号と、ＳＤ３で当該読取情報配置部１２ｃが取得した配置情報とを含む読取情報を、光学的に読み取り可能な情報コードとして生成する（ＳＤ４）。なお、情報コードには、各建築部材の符号と配置情報との他、各種の情報を含めてもよい。以下では、建築部材のＩＤ番号、建築部材が配置される階、建築部材の種別名、建築部材の符号、及び、建築部材の配置情報を含む情報コードを読取情報配置部１２ｃが生成する場合を例として説明する。例えば、読取情報配置部１２ｃは部材情報ＤＢ１３ｂを参照し、ＳＤ３で抽出した建築部材のＩＤ番号に基づいて、当該建築部材が配置される階を特定する。また、建築部材の符号と当該建築部材の種別名（例えば、大梁、小梁、基礎梁、スラブ、柱、壁等）とを対応付けたテーブルを予めデータ記録部１３に記録させておき、当該テーブルを参照することで、読取情報配置部１２ｃはＳＤ２で当該読取情報配置部１２ｃが抽出した建築部材の符号に対応する種別名を特定する。このようにして読取情報配置部１２ｃが取得あるいは特定した建築部材のＩＤ番号が「３００１」、当該建築部材が配置される階が「２Ｆ」、当該建築部材の種別名が「大梁Ｇ」、当該建築部材の符号が「Ｇ１」、当該建築部材の配置情報が部材情報ＤＢ１３ｂの項目「Ｘ１」について「１」、「Ｘ２」について「−」、「Ｙ１」について「Ｅ」、「Ｙ２」について「Ｆ」である場合、読取情報配置部１２ｃは、これらの各情報の相互間を区切り文字（例えばアンダーバー「＿」等）で区切ったテキストデータ「３００１＿２Ｆ＿大梁Ｇ＿Ｇ１＿１＊Ｅ−Ｆ」に基づいて情報コードを生成する。また、情報コードとしては、例えばバーコードや２次元コード等の公知のコードを用いることができる。
【００８６】
次に読取情報配置部１２ｃは、当該読取情報配置部１２ｃが生成した情報コードを、建築図面中の建築部材の符号の位置に対応付けて配置する（ＳＤ５）。
【００８７】
図２０から図２３は、読取情報配置処理において表示部４１に表示される建築図面を例示した図である。なお、情報コードを建築図面中に配置するのに先立って、図２０に例示したように、読取情報配置部１２ｃが情報コードのサイズの設定ウィンドウを表示部４１に表示させ、情報コードのサイズの設定を受け付けるようにしてもよい。
【００８８】
図１９のＳＤ５において、読取情報配置部１２ｃは、例えば各情報コードに含まれるＩＤ番号に対応する建築部材の符号の位置を、ＳＤ１で建築図面と共に読み込んだ各建築部材の符号の座標値に基づき特定する。そして、図２１に例示したように、当該特定した各建築部材の符号の位置から所定範囲内に、予め設定されているサイズあるいは図２０に例示した設定ウィンドウで設定されたサイズの情報コードを配置すると共に、各情報コードから対応する建築部材の符号に至る矢印を表示させる。さらに、複数の情報コードが相互に重複表示されないようにするため、読取情報配置部１２ｃは、例えば公知の描画ソフトにおける図形整列機能を用いて、図２２に示すように各情報コードを等間隔に整列させる。また、入力手段（図示省略）を介して入力された操作に基づき、読取情報配置部１２ｃが各情報コードの配置を変更（例えば、図２２に例示した配置から図２３に例示した配置に変更）するようにしてもよい。
【００８９】
図１９に戻り、読取情報配置部１２ｃは、情報コードを配置した建築図面をプリンタ３から出力させる（ＳＤ６）。その後、制御部１２は読取情報配置処理を終了し、メインルーチンに戻る。
【００９０】
（処理−撮影処理）
次に、撮影装置２０によって実行される撮影処理について説明する。図２４は撮影処理のフローチャートである。この撮影処理に先立ち、撮影装置２０の部材情報テーブル２４ｂには、部材情報サーバ１０の部材情報ＤＢ１３ｂから取得された情報が格納されているものとする。例えば、撮影装置２０の制御部２３は、当該撮影装置２０の入力手段（図示省略）を介して、部材情報テーブル２４ｂに格納すべき情報の取得指示が行われた場合、部材情報ＤＢ１３ｂの項目「ＩＤ」に対応して格納されている情報をネットワーク２を介して取得し、部材情報テーブル２４ｂの項目「ＩＤ」に対応して格納する。また、撮影装置２０の制御部２３は、部材情報ＤＢ１３ｂの項目「リスト画像」に対応して格納されている情報に基づき特定される格納場所から部材情報を取得し、部材情報テーブル２４ｂの項目「リスト画像」に対応して格納する。なお、部材情報を取得する際に、当該部材情報のファイル形式の変換（例えばｗｍｆ等のベクター形式からＪＰＥＧ等のラスター形式への変換等）を行ってから部材情報テーブル２４ｂに格納するようにしてもよい。また、図６に例示したように、部材情報自体に代えて、データ記録部２４における部材情報の所在を示す情報を項目「リスト画像」に対応して格納するようにしてもよい。
【００９１】
撮影処理は、例えば撮影装置２０における公知の入力手段（図示省略）を介して撮影処理の起動指示入力が行われた場合に起動される。図２４に示すように、撮影処理が起動されると、読取部２３ａは、入力手段（図示省略）を介して建築図面に配置された情報コードの読取指示が行われるまで待機する（ＳＥ１、Ｎｏ）。
【００９２】
入力手段（図示省略）を介して建築図面に配置された情報コードの読取指示が行われると（ＳＥ１、Ｙｅｓ）、読取部２３ａは撮影部２１に情報コードの撮影を行わせ、当該撮影部２１によって撮影された画像から情報コードを読み取る（ＳＥ２）。図２５は、建築図面に配置された情報コードを撮影部２１により撮影する状況を例示した図である。
【００９３】
図２４に戻り、ＳＥ２の処理の後、読取部２３ａは、当該読取部２３ａによって読み取られた情報コードに含まれる各情報をディスプレイ２２に表示させる（ＳＥ３）。図２６は、読取部２３ａによって読み取られた情報コードに含まれる各情報をディスプレイ２２に表示した撮影装置２０を例示した図である。例えば図２６に示すように、テキストデータ「３０５１＿２Ｆ＿大梁Ｇ＿Ｇ２０＿３＊Ｃ」に基づいて生成された情報コードが読取部２３ａによって読み取られた場合、読取部２３ａは、区切り文字（この場合はアンダーバー「＿」）で相互に区切られた各情報（例えば、建築部材のＩＤ番号、建築部材が設置されている階、建築部材の種別名、建築部材の符号、配置情報等）を当該情報コードから抽出し、各情報に対応する項目名（図２６の例では「ＩＤ」、「階」、「部位」、「符号」、「位置」等）と関連付けてディスプレイ２２にリスト表示させる。これにより、作業者が検査あるいは撮影を行おうとしている建築部材の名称や配置情報等を、検査や撮影を行う前に容易に確認することができる。
【００９４】
図２４に戻り、ＳＥ３の処理の後、読取部２３ａは、部材情報をディスプレイ２２に表示させる旨の指示入力が入力手段（図示省略）を介して行われたか否かを判定する（ＳＥ４）。
【００９５】
その結果、部材情報をディスプレイ２２に表示させる旨の指示入力が入力手段（図示省略）を介して行われた場合（ＳＥ４、Ｙｅｓ）、読取部２３ａは、当該読取部２３ａによって読み取られた情報コードに含まれるＩＤ番号に対応する部材情報を部材情報テーブル２４ｂから取得する（ＳＥ５）。例えば、図６の部材情報テーブル２４ｂのように、部材情報の所在を示す情報が項目「リスト画像」に対応して格納されている場合には、読取部２３ａによって読み取られた情報コードに含まれるＩＤ番号に対応する部材情報の所在を示す情報を部材情報テーブル２４ｂから取得し、当該情報に基づき特定される所在から部材情報を取得する。また、部材情報が、当該部材情報に対応する建築部材が配置される階の名称をフォルダ名とするデータフォルダに、当該建築部材の名称を用いたファイル名が付されて撮影装置２０のデータ記録部２４に格納されている場合には、読取部２３ａによって読み取られた情報コードに含まれる各情報の内、建築物において各建築部材が配置される階を特定する情報（例えば「２Ｆ」等）と、各建築部材の名称を特定する符号（例えば「Ｇ１」等）とに基づいて部材情報の所在（例えば「￥２Ｆ￥Ｇ１．ｊｐｇ」等）を特定し、当該特定した所在から部材情報を取得するようにしてもよい。
【００９６】
図２４に戻り、読取部２３ａは、当該読取部２３ａが取得した部材情報をディスプレイ２２に表示させる（ＳＥ６）。図２７は、読取部２３ａによって取得された部材情報をディスプレイ２２に表示した撮影装置２０を例示した図である。この図２７では、階「２Ｆ」に配置されている建築部材「Ｇ２０」の部材情報がディスプレイ２２に表示された場合を例示している。
【００９７】
図２４に戻り、ＳＥ４で部材情報をディスプレイ２２に表示させる旨の指示入力が入力手段（図示省略）を介して行われない場合（ＳＥ４、Ｎｏ）、又はＳＥ６の処理の後、撮影装置２０の制御部２３は、入力手段（図示省略）を介して被写体の撮影指示が行われるまで待機する（ＳＥ７、Ｎｏ）。
【００９８】
入力手段（図示省略）を介して被写体の撮影指示が行われると（ＳＥ７、Ｙｅｓ）、撮影装置２０の制御部２３は、撮影部２１により被写体を撮影させ、当該撮影部２１によって撮影された画像を画像テーブル２４ａに格納する（ＳＥ８）。撮影装置２０の制御部２３は、図５に例示したように、撮影部２１によって撮影された画像に所定のファイル名（例えば、ＳＥ３でディスプレイ２２によって表示された建築部材のＩＤ番号と、当該建築部材について画像が撮影された順序を示す数とを含むファイル名）を付して、画像テーブル２４ａの項目「撮影画像」に対応するように格納する。
【００９９】
図２４に戻り、関連付け部２３ｂは、ＳＥ８で画像テーブル２４ａに格納された画像と、ＳＥ３でディスプレイ２２によって表示された情報とを、相互に関連付ける（ＳＥ９）。図５に示した画像テーブル２４ａの例では、関連付け部２３ｂは、ＳＥ３でディスプレイ２２によって表示された建築部材のＩＤ番号、建築部材が設置されている階、建築部材の種別名、建築部材の符号、及び配置情報を、ＳＥ８で項目「撮影画像」に対応して画像テーブル２４ａに格納された画像と相互に関連付けて、項目「ＩＤ」、「階」、「部位」、「符号」、及び「位置」にそれぞれ対応するように画像テーブル２４ａに格納する。
【０１００】
図２４に戻り、撮影装置２０の制御部２３は、ＳＥ３でディスプレイ２２によって表示された情報に対応する建築部材についての撮影が完了したか否かを判定する（ＳＥ１０）。例えば撮影装置２０の制御部２３は、ＳＥ３でディスプレイ２２によって表示された情報に対応する建築部材についての撮影が完了した旨の入力が入力手段（図示省略）を介して行われた場合に、当該建築部材についての撮影が完了したと判定する。
【０１０１】
その結果、ＳＥ３でディスプレイ２２によって表示された情報に対応する建築部材についての撮影が完了していない場合（ＳＥ１０、Ｎｏ）、制御部２３はＳＥ７に戻る。以降、ＳＥ３でディスプレイ２２によって表示された情報に対応する建築部材についての撮影が完了する（ＳＥ１０、Ｙｅｓ）まで、ＳＥ７からＳＥ１０の処理を繰り返す。
【０１０２】
一方、ＳＥ３でディスプレイ２２によって表示された情報に対応する建築部材についての撮影が完了した場合（ＳＥ１０、Ｙｅｓ）、撮影装置２０の制御部２３は、被写体とすべき全ての建築部材についての撮影が完了したか否かを判定する（ＳＥ１１）。例えば撮影装置２０の制御部２３は、被写体とすべき全ての建築部材についての撮影が完了した旨の入力が入力手段（図示省略）を介して行われた場合に、全ての建築部材についての撮影が完了したと判定する。
【０１０３】
その結果、被写体とすべき全ての建築部材についての撮影が完了していない場合（ＳＥ１１、Ｎｏ）、制御部２３はＳＥ１に戻る。以降、被写体とすべき全ての建築部材についての撮影が完了する（ＳＥ１１、Ｙｅｓ）まで、ＳＥ１からＳＥ１１までの処理を繰り返す。
【０１０４】
一方、被写体とすべき全ての建築部材についての撮影が完了した場合（ＳＥ１１、Ｙｅｓ）、撮影装置２０の制御部２３は撮影処理を終了する。
【０１０５】
（処理−編集処理）
次に、部材情報サーバ１０によって実行される編集処理について説明する。図２８は編集処理のフローチャートである。この編集処理は、例えば端末装置４の入力手段（図示省略）を用いて、ネットワーク２を介して編集処理の起動指示入力が行われた場合に起動される。
【０１０６】
図２８に示すように、編集処理が起動されると、部材情報サーバ１０の制御部１２は、撮影装置２０の画像テーブル２４ａに格納された情報をネットワーク２を介して取得する（ＳＦ１）。
【０１０７】
続いて部材情報サーバ１０の制御部１２は、ＳＦ１で取得した情報を用いて合成処理を行う（ＳＦ２）。具体的には、部材情報サーバ１０の制御部１２は、公知の画像処理技術を用いて、撮影装置２０の画像テーブル２４ａの項目「撮影画像」に対応して格納されている画像毎に、当該画像テーブル２４ａの他の項目（例えば、項目「ＩＤ」、「階」、「部位」、「符号」、「位置」等）に対応して格納されている各情報を合成することで、所定の形式のアルバムを生成する。図２９は、部材情報サーバ１０の制御部１２によって生成されたアルバムの構成例を示す図である。例えば図２９に示すように、部材情報サーバ１０の制御部１２は、画像テーブル２４ａの項目「撮影画像」に対応して格納されている画像と、当該画像に関連付けて画像テーブル２４ａの項目「ＩＤ」、「階」、「部位」、「符号」、「位置」に格納されている各情報とを所定の形式で合成し、当該合成したデータを建築部材のＩＤ番号順に整列させる。なお、このアルバムは任意に編集できるものであり、例えば利用者が端末装置４の入力手段（図示省略）を介して新規データを追加したり、画像等の位置を自由に入れ替えたりすることができる。
【０１０８】
図２８に戻り、ＳＦ２の処理の後、制御部１２は編集処理を終了する。
【０１０９】
（効果）
このように、本実施の形態によれば、読取情報配置部１２ｃは、建築図面に含まれている各建築部材の符号を当該建築図面から取得し、当該取得した符号に対応する配置情報を部材情報ＤＢ１３ｂから取得し、当該取得した符号と配置情報とを含む情報コードを、符号に対応する建築部材に関連付けて、建築図面中に配置する。これにより、建築図面中に配置された情報コードを撮影部２１を介して読取部２３ａに読み取らせるという極めて簡易な操作のみで、情報コードに含まれる配置情報や、当該情報コードに含まれる建築部材の符号に関連付けて部材情報ＤＢ１３ｂに格納されている部材情報を撮影装置２０のディスプレイ２２に表示させることができ、検査対象の建築部材の配置情報や部材情報を利用者に容易に確認させることができる。また、建築部材に関する部材情報と、当該建築部材の符号とが、部材情報抽出部１２ａによって部材図面から建築部材毎に抽出され、当該抽出された部材情報と符号とが相互に関連付けられて部材情報ＤＢ１３ｂに格納されるので、利用者が自ら部材情報を複数のグループに分類する必要がなく、容易且つ確実に必要な部材情報を部材情報ＤＢ１３ｂに格納することができる。
【０１１０】
また、読取情報配置部１２ｃは、建築図面から建築部材に対応する符号を抽出し、当該抽出した符号に対応する配置情報を含む情報コードを、建築図面中の符号の位置に対応付けて配置するので、建築図面中の各建築部材の位置に対応して容易に情報コードを配置することができる。
【０１１１】
また、読取情報配置部１２ｃは、建築図面における通り芯の配置を基準として当該建築図面における符号の位置を特定し、当該特定した符号の位置に対応付けて情報コードを配置するので、建築図面における各建築部材の位置を容易且つ確実に特定し、当該特定した各建築部材の位置に対応して容易に情報コードを配置することができる。
【０１１２】
また、読取情報配置部１２ｃは、識別情報と配置情報とを含む読取情報を、光学的に読み取り可能な情報コードとして建築図面中に配置するので、撮影装置２０の撮影部２１を用いて容易に読取情報を読み取らせることができる。
【０１１３】
〔ＩＩＩ〕実施の形態に対する変形例
以上、実施の形態について説明したが、本発明の具体的な構成及び手段は、特許請求の範囲に記載した各発明の技術的思想の範囲内において、任意に改変及び改良することができる。以下、このような変形例について説明する。
【０１１４】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【０１１５】
（構成及び制御について）
また、本実施の形態で自動的に行われるものとして説明した制御の全部または任意の一部を手動で行っても良く、逆に、手動で行われるものとして説明した制御の全部または任意の一部を公知技術または上述した思想に基づいて自動化しても良い。また、上述した各電気的構成要素は機能概念的なものであり、必ずしも物理的に図示の如く構成されていることを要しない。すなわち、各部の分散・統合の具体的形態は図示のものに限られず、その全部または一部を、各種の負荷や使用状況などに応じて、任意の単位で機能的または物理的に分散・統合して構成できる。例えば、撮影装置２０におけるデータ記録部２４を省略し、部材情報サーバ１０におけるデータ記録部１３を、当該部材情報サーバ１０と撮影装置２０とで共有するようにしてもよい。この場合、撮影処理において、撮影装置２０の制御部２３は、部材情報テーブル２４ｂに代えて部材情報ＤＢ１３ｂから部材情報等を含む必要な情報を取得する。また、プリンタ３や端末装置４の表示部４１を部材情報サーバ１０に備えてもよい。この他、前記文書中や図面中で示した処理手順、または、制御手順については、特記する場合を除いて任意に変更できる。
【０１１６】
（部材情報管理処理について）
部材情報管理処理の各処理については、公知のＣＡＤ（Ｃｏｍｐｕｔｅｒ  Ａｉｄｅｄ  Ｄｅｓｉｇｎ）システム上で実行させてもよく、さらに公知の表計算ソフトやプレゼンテーションソフト等を組合わせて処理を実行させてもよい。
【０１１７】
（データの移動方法について）
上述の実施の形態では、部材情報サーバ１０と撮影装置２０との相互間において、ネットワーク２を介してデータの移動させる場合を例として説明したが、これとは異なる方法でデータを移動させるようにしてもよい。例えば、各種の記録媒体を介してデータを移動させたり、あるいは、部材情報サーバ１０と撮影装置２０との間を有線又は無線にて直接接続することで、データを移動させるようにしてもよい。
【産業上の利用可能性】
【０１１８】
この発明に係る部材情報管理システムは、必要な図面を容易且つ確実に記録手段に記録させることができ、記録手段に記録されている所望の図面を容易に表示させることができ、被写体を撮影した画像と当該被写体の配置情報とを容易に関連付けることができる、部材情報管理システムに有用である。
【符号の説明】
【０１１９】
１  部材情報管理システム
２  ネットワーク
３  プリンタ
４  端末装置
１０  部材情報サーバ
１１  ネットワークＩＦ
１２、２３  制御部
１２ａ  部材情報抽出部
１２ｂ  配置情報抽出部
１２ｃ  読取情報配置部
１３、２４  データ記録部
１３ａ  図面ＤＢ
１３ｂ  部材情報ＤＢ
２０  撮影装置
２１  撮影部
２２  ディスプレイ
２３ａ  読取部
２３ｂ  関連付け部
２４ａ  画像テーブル
２４ｂ  部材情報テーブル
４１  表示部
【図１】
0005667911.tif 000002
【図２】
0005667911.tif 000003
【図３】
0005667911.tif 000004
【図４】
0005667911.tif 000005
【図５】
0005667911.tif 000006
【図６】
0005667911.tif 000007
【図７】
0005667911.tif 000008
【図８】
0005667911.tif 000009
【図９】
0005667911.tif 000010
【図１０】
0005667911.tif 000011
【図１１】
0005667911.tif 000012
【図１２】
0005667911.tif 000013
【図１３】
0005667911.tif 000014
【図１４】
0005667911.tif 000015
【図１５】
0005667911.tif 000016
【図１６】
0005667911.tif 000017
【図１７】
0005667911.tif 000018
【図１８】
0005667911.tif 000019
【図１９】
0005667911.tif 000020
【図２０】
0005667911.tif 000021
【図２１】
0005667911.tif 000022
【図２２】
0005667911.tif 000023
【図２３】
0005667911.tif 000024
【図２４】
0005667911.tif 000025
【図２５】
0005667911.tif 000026
【図２６】
0005667911.tif 000027
【図２７】
0005667911.tif 000028
【図２８】
0005667911.tif 000029
【図２９】
0005667911.tif 000030